(57)【特許請求の範囲】
【請求項１】
スペーサリング（４）によって相互に間隔をおくように保たれた電極（５）とダイヤフラム（１）とを備え、サウンドピックアップとして作動し、マイクロホンカプセルに組付け可能な、静電をベースとして作動する電気音響変換器において、
前記電極には、少なくとも１つの電気抵抗（７）が取り付けられており、この電気抵抗（７）はマイクロホンの作動中に電圧源と接続され、前記電極における結露を防止するために発熱し、
マイクロホンカプセルの外部に、感温性のわかっている第２の電気抵抗が配置されており、
両方の抵抗は、測定された抵抗に依存して前記電気抵抗（７）への電力供給を制御する測定・制御回路と接続されているマイクロホンカプセルに組み込まれたことを特徴とする変換器。
【発明の詳細な説明】
【０００１】
【発明の属する技術分野】
本発明は、サウンドピックアップとして作動し、マイクロホンカプセルで適用され、静電をベースとして作動する電気音響変換器に関する。
【０００２】
【従来の技術】
このような種類の変換器は、その物理的な作動形式に関わりなく、音場にさらされていて、音場によって直接励起されて振動するダイヤフラムを有している。
【０００３】
本発明の対象物は静電マイクロホンである。静電変換器の電極は、張力をかけられた状態に保たれている弾性的なダイヤフラムと、大抵は単に電極と呼ばれる剛性のある電極とからなる。この両者は、音場の圧力変動によって容量が変わるコンデンサを形成している。静電変換器のそれぞれの電極の間には電場が生成されているので、変換器の容量変化を、後置されている増幅器によって電圧変化に変換することが可能である。
【０００４】
静電カプセルは、その各々の電極の間における電場の印加の種類という観点から、次の２種類のグループに分けることができる。
【０００５】
１．外部から印加される電圧によって電荷が生成される静電カプセルである、コンデンサカプセル。
【０００６】
２．電荷が電極またはダイヤフラムに「結合」されており、それによって、外部から印加される電圧は不要になる静電カプセルである、エレクトレットカプセル。
【０００７】
【発明が解決しようとする課題】
静電サウンドピックアップの上に挙げた両方の方式は、他の方式のサウンドピックアップに対するさまざまな利点があるものの、湿度に対する感受性という大きな欠点がある。電気的に見て、前記したコンデンサは高抵抗なので、音響変換をうまく行うには、後置されている増幅器の１段も高抵抗に施工することが、どうしても必要である。高抵抗の電気装置では高い湿度が電気装置の信頼性に関して大きな危険となるのは言うまでもない。湿度のマイナスの影響に対して増幅器の１００％の防護は、公知の塗装処理を適用することによって達成される。この場合、さまざまな種類の塗装で密閉することによって、防湿を行い、湿度が増幅器の電気特性にマイナスの影響を及ぼすのを防止している。
【０００８】
しかしカプセルの場合、防湿はこれよりもはるかに複雑である。コンデンサの電極間における唯一の直接的な絶縁区域は、スペーサリングである。高くなった湿度は凝結を生じ、これがスペーサリングの領域で絶縁区間の品質に対してマイナスに作用（完全なる絶縁性を阻害）して、マイクロホンの作動時に不快なノイズ音として現われる。
【０００９】
現在の技術水準によれば、電極とダイヤフラムの間の絶縁区間をできるだけ広く構成することで、こうした問題に対処しようと試みられている。しかしこのようにすることは、カプセルの大型化とコストアップにつながり、それにもかかわらず、湿度に対する不感受性にとって、わずかで、不十分な改善にしかつながらないのである。
【００１０】
本発明の目的は、周囲の湿度が高いときに、冒頭に述べた種類のマイクホロンの電極間で短絡が起こる危険性に対して、従来よりも改善された防護を確保するとともに、それによってマイクロホンカプセルの設計サイズや、その製造コストが大幅に増えないようにすることである。
【００１１】
【課題を解決するための手段】
本発明によれば、上記した目的は、剛性のある電極に、有利にはダイヤフラムと反対を向いている方の側に、少なくとも１つの電気抵抗が配置されており、有利には接着されており、この電気抵抗が、マイクロホンの作動中に電圧源と接続され、電極を暖めることによって達成される。
【００１２】
このような構成により、電気抵抗が発生する熱で、剛性のある電極およびこれに伴うその縁部領域と、ダイヤフラム保持部の敏感な領域が、周囲温度よりも十分の数度だけ暖められ、このことだけですでに結露を確実に防止するのに十分である。電極の裏側には、音響同調の理由からどうしても必要な中空室が必ず設けられているので、このような電気抵抗を設けても、カプセルの寸法は実質的に変わらない。
【００１３】
前記電気抵抗に対する電力供給が問題になることはなく、つまり、出力が伝達される必要は非常に少ないので、細く施工することができる独立した回線を介して行うことができる。周知のように、静電をベースとして作動するマイクロホンは、カプセルに配置される後段の増幅器のエネルギー供給のために電圧源を必要とし、この電圧源はさらに独自のバッテリ供給装置から、またはいわゆる擬似供給部（オーディオミキサ）から供給を受ける。したがってこのような擬似供給部も、電気抵抗を作動させるために利用できる。
【００１４】
【発明の実施の形態】
図面を参照しながら本発明について詳しく説明する。
【００１５】
図１は静電マイクロホンを示す断面図、図２は本発明に基づいて取り付けられた電気抵抗を示す、拡大した詳細図である。
【００１６】
図１は通常の静電変換器を断面図で示している。ダイヤフラム１は、ダイヤフラムリング２によってカプセル支持体３に挿入支持されている。スペーサリング４は、ダイヤフラム１と、剛性のある電極５とを約４０μｍ以下の小さな間隔になるように保っており、電気的に優れた絶縁性材料、有利にはフィルムで製作されている。電極５の後方には、電極５から間隔をおいてカプセル支持体３に挿入された、カプセルの音響同調のために必要な音響摩擦部６がある。
【００１７】
ここで、本発明は、電極５の一部が大きく拡大して示されている図２からも明らかになっている。
【００１８】
電極５の表面には、電圧源につながれた電気抵抗７が取り付けられている。この電気抵抗７の機能は、電極５を暖めることである。水蒸気の凝結を的確に防止するためには、水蒸気で「汚染」された周囲で、２つの領域または構成部品の間にわずか十分の数度の小さな温度差をつくり出すことが、必要かつ十分である。
【００１９】
すなわち、電気抵抗７が発生する熱で、剛性のある電極５およびこれに伴うその縁部領域と、ダイヤフラム保持部の敏感な領域が、周囲温度よりも十分の数度だけ暖められ、このことだけですでに結露を確実に防止するのに十分である。
【００２０】
マイクロホンカプセルはマイクロホンケーシングの中に組み込まれ、機械的な損傷に対して格子型ボックスで保護されるので、このような温度差をカプセル内部とマイクロホンケーシングまたは格子キャップとの間で、維持することは容易である。それによってカプセルの中での水分の凝結が防止され、カプセルは空気の湿度に対して確実に守られる。これにより、水分の凝結で、とくにスペーサリング４の絶縁性が低下するのが防止でき、したがって、絶縁性の低下時に発生するノイズも確実に抑制できる。
【００２１】
本発明の有利な変形例は、外気温が著しく異なっているときに所定の温度差をカプセル内部とマイクロホンケーシングの間で維持し、ないしはつくり出すことを可能にする電気制御回路を備えることを意図している。
【００２２】
このような種類の制御回路は、本発明に関連する当業者ならば容易に構想することができる。たとえば、感温性がわかっている電気抵抗をカプセルの外に配置する。この抵抗の大きさと、電極５にある加熱用電気抵抗７の大きさとを、作動時に周期的に、または常時、相互に比較する。この比較の結果に依存して、所望の温度差に達するまで、加熱用電気抵抗７を通る電流の強さを変化させる。このようにして、一方ではカプセルが過熱から守られるとともに、他方では電力消費が最低限に抑えられ、しかも周囲温度の広い範囲にわたって防湿が保証される。
【００２３】
加熱用の電気抵抗７としては、どのようなオーム抵抗でも使用でき、特に本発明の最後に挙げた変形例の場合には、温度係数がわかっている抵抗を使用するのが有利である。電気抵抗７の接着剤としては、電気工学上、通常用いられるあらゆる接着剤が考慮の対象となり、使用する電極５および電気抵抗７の組成がわかっていれば当業者が容易に選択することができる。
【００２４】
本発明は上記の実施の形態に限定されずに、その技術的な思想の範囲内において種々の変更がなしうることは明白である。
【図面の簡単な説明】
【図１】静電マイクロホンを示す断面図である。
【図２】本発明に基づいて取り付けられた電気抵抗を主として示す拡大した詳細図である。
【符号の説明】
１  ダイヤフラム
４  スペーサリング
５  電極
７  電気抵抗
【図１】
0004038051.tif 000002
【図２】
0004038051.tif 000003